【手続補正書】
【提出日】平成19年10月2日(2007.10.2)
【手続補正１】
【補正対象書類名】特許請求の範囲
【補正対象項目名】全文
【補正方法】変更
【補正の内容】
【特許請求の範囲】
【請求項１】
ライセンス管理サーバと、中継サーバと、端末装置とを備えるコンテンツ配信システムであって、
前記ライセンス管理サーバは、
前記端末装置におけるコンテンツの利用を制御するための第１のライセンスを第１のフォーマットで生成する第１ライセンス生成手段と、
前記端末装置との間の伝送路に応じて、前記第１のライセンスの改ざんを検出するためのデジタル署名を生成し、生成されたデジタル署名を前記中継サーバに送信する改ざん検出情報生成手段と、
前記端末装置に対して、第２のライセンスを前記第１のフォーマットに変換する指示であるフォーマット指定情報の入力を受け付ける指定情報受付手段と、
受け付けられた前記フォーマット指定情報を前記中継サーバに送信する指定情報送信手段とを備え、
前記中継サーバは、
前記第１のライセンスに、前記第１のライセンスの改ざんを検出するためのデジタル署名を付加して、前記第１のフォーマットとは異なる第２のフォーマットで第２のライセンスを生成し、生成された第２のライセンスに前記ライセンス管理サーバで受け付けられた前記フォーマット情報を付加する第２ライセンス生成手段を備え、
前記端末装置は、
前記第２のライセンスを前記中継サーバから取得し、前記第２のライセンスに付加されている前記フォーマット指定情報に従って、前記第２のライセンスを前記第１のフォーマットに変換するフォーマット変換手段と、
前記第１のフォーマットに変換して得られる前記第１のライセンスの改ざんの有無を、前記デジタル署名に基づいて判定する判定手段と、
判定の結果、改ざんなしと判定された場合、前記第１のライセンスに従って、コンテンツを利用する利用手段とを備える
ことを特徴とするコンテンツ配信システム。
【請求項２】
前記改ざん検出情報生成手段は、前記伝送路の帯域または通信速度が所定の帯域または所定の通信速度よりも低いとき、前記デジタル署名を前記中継サーバに送信して、前記第２のライセンスを生成するよう前記中継サーバに指示する
ことを特徴とする請求項１記載のコンテンツ配信システム。
【請求項３】
前記第２ライセンス生成手段は、第１のフォーマットで生成された第１のライセンスよりもデータサイズの小さい前記第２のライセンスを生成する
ことを特徴とする請求項２記載のコンテンツ配信システム。
【請求項４】
前記ライセンス管理サーバは、前記第１のライセンスを前記端末装置に送信する第１送信手段を備え、
前記中継サーバは、前記第２のライセンスを、前記ライセンス管理サーバとは異なる伝送路を介して前記端末装置に送信する第２送信手段を備え、
前記端末装置は、前記第２送信手段から前記第２のライセンスを取得する
ことを特徴とする請求項１記載のコンテンツ配信システム。
【請求項５】
前記中継サーバは複数のサーバからなり、
前記各中継サーバは、前記第１のライセンスに、前記第１のライセンスの改ざんを検出するためのデジタル署名が付加された第ｎ（ｎは２以上の自然数）のライセンスを、前記第１のフォーマットとは異なる第ｎのフォーマットで生成する第ｎライセンス生成手段を備え、
前記フォーマット変換手段は、前記第ｎのライセンスを前記中継サーバの１つから取得し、前記第１のフォーマットに変換する
ことを特徴とする請求項１記載のコンテンツ配信システム。
【請求項６】
端末装置におけるコンテンツの利用を制御するための第１のライセンスを配信するライセンス管理サーバと、前記第１のライセンスに、前記第１のライセンスの改ざんを検出するためのデジタル署名が付加された第２のライセンスを第１のライセンスとは異なるフォーマットで生成して配信する中継サーバと、前記第２のライセンスを取得してフォーマット変換により第１のライセンスを生成し、生成された前記第１のライセンスの改ざんの有無を前記デジタル署名に基づいて検出し、改ざんが検出されなければ、前記第１のライセンスに従ってコンテンツを利用する端末装置とを備えるコンテンツ配信システムにおける前記ライセンス管理サーバであって、
前記第１のライセンスを第１のフォーマットで生成する第１ライセンス生成手段と、
前記端末装置との間の伝送路に応じて、前記第１のライセンスのデジタル署名を生成し、生成されたデジタル署名を前記中継サーバに送信する改ざん検出情報生成手段と、
前記端末装置に対して、前記第２のライセンスを前記第１のフォーマットに変換する指示であるフォーマット指定情報の入力を受け付ける指定情報受付手段と、
受け付けられたフォーマット指定情報を前記中継サーバに送信する指定情報送信手段と
を備えることを特徴とするライセンス管理サーバ。
【請求項７】
前記改ざん検出情報生成手段は、前記伝送路の帯域または通信速度が所定の帯域または所定の通信速度よりも低いとき、前記改ざん検出情報を前記中継サーバに送信して、前記第２のライセンスを生成するよう前記中継サーバに指示する
ことを特徴とする請求項６記載のライセンス管理サーバ。
【請求項８】
前記中継サーバは、第１のフォーマットで生成された第１のライセンスよりもデータサイズの小さい前記第２のライセンスを生成する
ことを特徴とする請求項７記載のライセンス管理サーバ。
【請求項９】
端末装置におけるコンテンツの利用を制御するための第１のライセンスを配信するライセンス管理サーバと、前記第１のライセンスに、前記第１のライセンスの改ざんを検出するためのデジタル署名が付加された第２のライセンスを第１のライセンスとは異なるフォーマットで生成して配信する中継サーバと、前記第２のライセンスを取得してフォーマット変換により第１のライセンスを生成し、生成された前記第１のライセンスの改ざんの有無を前記デジタル署名に基づいて検出し、改ざんが検出されなければ、前記第１のライセンスに従ってコンテンツを利用する端末装置とを備えるコンテンツ配信システムにおける前記中継サーバであって、
第１のフォーマットで生成された前記第１のライセンスに、前記ライセンス管理サーバから受信した前記第１のライセンスの前記デジタル署名が付加された第２のライセンスを、前記第１のフォーマットとは異なる第２のフォーマットで生成し、前記端末装置に対して、前記第２のライセンスを前記第１のフォーマットに変換する指示であるフォーマット指定情報を前記ライセンス管理サーバから受信し、受信した前記フォーマット指定情報を、生成された第２のライセンスに付加する第２ライセンス生成手段と、
生成された前記第２のライセンスを前記端末装置に送信する第２送信手段と
を備えることを特徴とする中継サーバ。
【請求項１０】
前記第２送信手段は、前記第２のライセンスを、前記ライセンス管理サーバとは異なる伝送路を介して前記端末装置に送信する
ことを特徴とする請求項９記載の中継サーバ。
【請求項１１】
端末装置におけるコンテンツの利用を制御するための第１のライセンスを配信するライセンス管理サーバと、前記第１のライセンスに、前記第１のライセンスの改ざんを検出するためのデジタル署名が付加された第２のライセンスを第１のライセンスとは異なるフォーマットで生成して配信する中継サーバと、前記第２のライセンスを取得してフォーマット変換により第１のライセンスを生成し、前記第１のライセンスに従ってコンテンツを利用する端末装置とを備えるコンテンツ配信システムにおける前記端末装置であって、
第２のフォーマットで生成された前記第２のライセンスを前記中継サーバから取得し、当該端末装置に対して、前記第２のライセンスを前記第１のフォーマットに変換する指示であり、前記第２のライセンスに付加されているフォーマット指定情報に従って、取得した前記第２のライセンスを前記第２のフォーマットとは異なる第１のフォーマットに変換し、前記第１のライセンスを生成するフォーマット変換手段と、
生成された前記第１のライセンスの改ざんの有無を、前記第２のライセンスに付加されているデジタル署名に基づいて判定する判定手段と、
判定の結果、改ざんなしと判定された場合、前記第１のライセンスに従って、コンテンツを利用する利用手段とを備える
ことを特徴とする端末装置。
【請求項１２】
ライセンス管理サーバと、中継サーバと、端末装置とを備えるコンテンツ配信システムにおけるライセンス配信方法であって、
前記ライセンス管理サーバでは、
前記端末装置におけるコンテンツの利用を制御するための第１のライセンスを第１のフォーマットで生成し、
前記端末装置との間の伝送路に応じて、前記第１のライセンスの改ざんを検出するためのデジタル署名を生成し、生成されたデジタル署名を前記中継サーバに送信し、
前記端末装置に対して、第２のライセンスを前記第１のフォーマットに変換する指示であるフォーマット指定情報の入力を受け付け、
受け付けられた前記フォーマット指定情報を前記中継サーバに送信し、
前記中継サーバでは、
前記第１のライセンスに、前記第１のライセンスの改ざんを検出するためのデジタル署名を付加して、前記第１のフォーマットとは異なる第２のフォーマットで第２のライセンスを生成し、生成された前記第２のライセンスに、前記ライセンス管理サーバで受け付けられた前記フォーマット指定情報を付加し、
前記端末装置では、
前記第２のライセンスを前記中継サーバから取得し、前記第２のライセンスに付加されている前記フォーマット指定情報に従って、前記第２のライセンスを前記第１のフォーマットに変換し、
前記第１のフォーマットに変換された前記第１のライセンスの改ざんの有無を、前記デジタル署名に基づいて判定し、
判定の結果、改ざんなしと判定された場合、前記第１のライセンスに従って、コンテンツを利用する
ことを特徴とするライセンス配信方法。